(57)【要約】【課題】指掛かり部を持ち上げた指掛かり性を維持しつつ、重ねた場合に指掛かり部が干渉しない構造の易開封性缶蓋を提供し、もって重ねた状態での搬送性，梱包性の向上を図る。【解決手段】外面に開口予定部２を縁取るスコア３が刻設された缶蓋本体４と、この缶蓋本体４の外面に固定されたスコア破断用のタブ５とを備え、缶蓋本体４の外面に対してタブ５の指掛かり部５１をタブ本体５２より高くした易開封性缶蓋において、缶蓋本体４の中心軸Ｏを回転中心としてタブ５を回転させた場合の指掛かり部５１が描く回転軌道を想定し、この回転軌道を缶蓋本体４に投影した指掛かり部の回転軌道投影領域Ｒ上に、少なくとも指掛かり部５１が収まる広さを有する外面側に凸で内面側に凹形状となるエンボス加工部７を設けたことを特徴とする。【選択図】  図１
2006213357.tif 000002
【特許請求の範囲】
【請求項１】
外面に開口予定部を縁取るスコアが刻設された缶蓋本体と、該缶蓋本体の外面に固定されたスコア破断用のタブとを備え、缶蓋本体の外面に対してタブの指掛かり部をタブ本体より高くした易開封性缶蓋において、
缶蓋本体の中心軸を回転中心としてタブを回転させた場合の指掛かり部が描く回転軌道を想定し、この回転軌道を缶蓋本体に投影した指掛かり部の回転軌道投影領域上に、少なくとも指掛かり部が収まる広さを有する外面側に凸で内面側に凹形状となるエンボス加工部を設けたことを特徴とする易開封性缶蓋。
【請求項２】
エンボス加工部はスコア近傍まで広げられ、メタル余りを吸収するメタル余り吸収部としても機能することを特徴とする請求項１に記載の易開封性缶蓋。
【請求項３】
エンボス加工部は、タブを隔てて左右のパネル領域の２箇所に設けられていることを特徴とする請求項１に記載の易開封性缶蓋。
【発明の詳細な説明】
【技術分野】
【０００１】
本発明は、スコア破断用のタブを備えた易開封性缶蓋に関し、特に、タブの指掛かり部を高くした易開封性缶蓋に関する。
【背景技術】
【０００２】
従来のこの種の易開封性缶蓋としては、たとえば図２（Ａ）に示すようなものが知られている。
すなわち、外面に開口予定部１０１Ａを縁取るスコア１０１が刻設された缶蓋本体１０２と、この缶蓋本体１０２の外面に固定されたスコア破断用のタブ１０３とを備え、缶蓋本体１０２の外面に対してタブ１０３の指掛かり部１０４をタブ本体１０５より高くして、指掛かり部１０４と缶蓋本体１０２間の隙間ｇを可及的に大きくし、指掛かり性の向上を図っていた。
【０００３】
一方、従来から缶蓋の搬送ラインは、搬送ガイドに沿って缶蓋を一列に重ねた状態で連続的に搬送するようになっている。このような搬送ラインで指掛かり部を高くした従来の易開封性の缶蓋を搬送する場合、図２（Ｂ）に示すように、缶蓋を重ねると下位の缶蓋の指掛かり部１０４が上位の缶蓋本体１０２に当たってしまう。
【０００４】
そのため、缶蓋同士ががたつき、缶蓋間の間隔が一定にならずに密集したり広がったりしながら搬送されるクッション量が多くなり、指掛かり部１０４が衝突して傷ついたり、甚だしい場合は傾いた缶蓋が搬送ガイドに引っ掛かって変形するといった不具合も生じる。このような不具合を防止するためには、低速での搬送設備の安定制御が必要となり、高速生産に対応できないという問題がある。
【０００５】
また、一列に重ねた状態で梱包する際に、決められた袋長さに入る蓋枚数が少なくなるので、得意先納入数量の低下、ひいては得意先での飲料缶等の生産効率低下につながるという問題があった。
なお、指掛かり部を高くした他の先行技術としては、たとえば特許文献１に記載のようなものがある。
【特許文献１】特公昭５０−０２２９５７
【発明の開示】
【発明が解決しようとする課題】
【０００６】
本発明は上記した従来技術の課題を解決するためになされたもので、その目的とするところは、指掛かり性を維持しつつ、重ねた場合に指掛かり部が干渉しない構造の易開封性缶蓋を提供し、もって重ねた状態での搬送性，梱包性の向上を図ることにある。
【課題を解決するための手段】
【０００７】
上記目的を達成するために、請求項１に係る発明は、外面に開口予定部を縁取るスコアが刻設された缶蓋本体と、この缶蓋本体の外面に固定されたスコア破断用のタブとを備え、缶蓋本体の外面に対してタブの指掛かり部をタブ本体より高くした易開封性缶蓋において、缶蓋本体の中心軸を回転中心としてタブを回転させた場合の指掛かり部が描く回転軌道を想定し、この回転軌道を缶蓋本体に投影した指掛かり部の回転軌道投影領域上に、少なくとも指掛かり部が収まる広さを有する外面側に凸で内面側に凹形状となるエンボス加工部を設けたことを特徴とする。
【０００８】
請求項２に係る発明は、エンボス加工部はスコア近傍まで広げられ、メタル余りを吸収するメタル余り吸収部としても機能することを特徴とする。
請求項３に係る発明は、エンボス加工部は、タブを隔てて左右のパネル領域の２箇所に設けられていることを特徴とする。
【発明の効果】
【０００９】
請求項１に係る発明によれば、缶蓋本体に指掛かり部が収まる広さを有するエンボス加工部を設けたので、缶蓋を重ねた場合に、下位の缶蓋の外面に突出する指掛かり部が上位の缶蓋の内面に設けられたエンボス加工部の凹部に収まる。したがって、搬送時に缶蓋列が安定した状態で搬送され、従来のような指掛かり部による傷つきや傾きによる変形といった不具合が解消され、高速で生産することも可能となる。
また、一列に重ねた状態で梱包する際にも、決められた袋長さに入る蓋枚数は指掛かり部を高くしない缶蓋と変わらないので、生産効率を落とすことがない。
【００１０】
請求項２に係る発明によれば、一つのエンボス加工部で、指掛かり部の収納機能とメタル余り吸収機能の２つの機能を持たせることができ、形状を単純化することができる。
請求項３に係る発明によれば、エンボス加工部をタブに対して左右２箇所に設けているので、重ねた際に、缶蓋同士がどちらに回転しても一方の指掛かり部が他方のエンボス加工部に到達し、はまりやすい。
【発明を実施するための最良の形態】
【００１１】
以下に本発明を図示の実施の形態に基づいて説明する。
図１は本発明の実施の形態に係る易開封性缶蓋を示している。
この易開封性缶蓋１は、開口予定部２を縁取るスコア３が刻設された缶蓋本体４と、この缶蓋本体４の外面に固定されたスコア破断用のタブ５とを備え、缶蓋本体４の外面に対してタブ５の指掛かり部５１が平坦なタブ本体部５２より高く構成されている。
【００１２】
缶蓋本体４は、円板状のパネル部４１と、このパネル部４１の周縁に環状溝４２を介して連結され上方に立ち上がるチャックウォール部４３と、チャックウォール部４３上端部から半径方向外方に延びて不図示の缶本体の巻き締めフランジ部と共に巻き締められる巻き締めカール部４４とを備えている。
開口予定部２はパネル部４１の中央付近から周縁に向けて舌状に延びる形状で、その周縁を取り囲むスコア３によって画成されている。このスコア３はタブ５によって隠された部分が一部開いており、スコア３に沿って破断された開口予定部２とパネル部４１とを連結するヒンジ部を構成する（図示せず）。
【００１３】
タブ５はてこ作用によってスコア３を破断させる剛性を有する略楕円形状に成形した板材で、リベット部４５に固定される固定部５３と、開口予定部２内に延びて開口予定部２を押圧する押圧作用部として機能するタブ先端部５４と、固定部５３に対して開口予定部２と反対側に延びる摘み部５５とから構成されている。摘み部５５は楕円形状の指掛け孔５６を有し、指掛け孔５６の左右に位置する側板部５７，５７の後端部を連結する端板部が指掛かり部５１となっている。
すなわち、タブ先端部５４，固定部５３および摘み部５５の側板部５７までが上面が同一高さの平坦なタブ本体部５２を構成するもので、指掛かり部５１がタブ本体部５２に対して所定高さ高くなっている。
【００１４】
また、図示例では、指掛かり部５１はタブ５の中心線Ｎに対して直交する方向に延びる直線状で、その両端が円弧状に曲がって左右側板部５７，５７につながっており、直線状の指掛かり部５１の後端は円弧状のパネル部４１の周縁より所定寸法中心側に位置し、タブ５の指掛かり部５１の後方に位置するパネル部４１の周縁部には、所定深さの段凹部６が設けられ、指掛かり部５１を高くした構成と相まってより指が掛かりやすい構造となっている。段凹部６の深さは周縁の環状溝４２よりも若干浅い。
【００１５】
そして、缶蓋本体４の中心軸Ｏを回転中心としてタブ５を回転させた場合の指掛かり部５１が描く回転軌道を想定し、この回転軌道を缶蓋本体４に投影した指掛かり部５１の回転軌道投影領域Ｒ上に、少なくとも指掛かり部５１が収まる広さを有する外面側に凸で内面側に凹形状となるエンボス加工部７が設けられている。図示例では、回転軌道投影領域Ｒの外径線Ｒ１は指掛かり部５１の円弧状の角部を通る円で、パネル４１の半径の三分の二程度の半径となっている。また、内径線Ｒ２は、指掛かり部５１の内側縁に接する円で、パネル部４１の半径の略半分程度の半径で、この外径線Ｒ１と内径線Ｒ２の間の環状の領域が指掛かり部の回転軌道投影領域Ｒである。
【００１６】
図示例では、タブ５と開口予定部２を避けて、タブ５と開口予定部２の左右に位置するパネル領域に、エンボス加工部７が左右対称的に設けられている。一方のエンボス加工部７について説明すると、パネル部４１の中心Ｏを通りタブ５の中心線Ｎに対して直交する直交線Ｍに対して対称的に開いた略扇形状で、回転軌道投影領域Ｒの外径線Ｒ１より大径でパネル部４１の周縁より若干小径の大円弧部７３と、開口予定部２のスコアの湾曲部に沿って延びる第１小円弧部７４と、タブ５の側縁に沿って延びる第２小円弧部７５とによって囲まれており、第１小円弧部７４と大円弧部７３の連結部、第２小円弧部７５と大円弧部７３との連結部、さらに第１小円弧部７４と第２小円弧部７５の中央の連結部はＲ形状となっている。このように、エンボス加工部７の第１小円弧部７４はスコア３近傍まで広げられ、スコア３周りのメタル余りを吸収するメタル余り吸収部としても機能する。
【００１７】
次に、本実施の形態の易開封性缶蓋の作用について説明する。
開口する際には、タブ５の指掛かり部５１の外側縁に指を掛け、上方に持ち上げる。そのままタブ５を起こして開口操作してもよいし、持ち上げた後に指掛け孔５６に指を入れて開口操作してもよい。指掛かり部５１を上方に位置させて、さらに段凹部６を設けているので、指掛かり性がよい。
【００１８】
一方、缶蓋本体４に指掛かり部５１が収まる広さを有するエンボス加工部７が設けられているので、缶蓋を重ねた場合に、図１（Ｂ）に示すように、下位の缶蓋のチャックウォール部４３内周に上位の缶蓋のチャックウォール部４３の外周が嵌合して芯出しされる。なお、図１（Ｂ）の上位の缶蓋については、タブは省略している。搬送時において缶蓋同士が相対回転し、下位の缶蓋の外面に突出する指掛かり部５１が上位の缶蓋の内面に設けられたエンボス加工部７の凹部７１に収まる。指掛かり部５１が凹部７１に収まった後は、缶蓋同士のがたつきは規制され、缶蓋列が安定した状態で搬送されるので、従来のような指掛かり部５１による傷つきや傾きによる変形といった不具合が解消され、高速で生産することも可能となる。特に、この実施の形態では、エンボス加工部７が左右２箇所にあるので、左右いずれの方向に回転しても、下位のタブの指掛かり部５１がはまりやすい。
【００１９】
また、一列に重ねた状態で梱包する際にも、決められた袋長さに入る蓋枚数は指掛かり部を高くしていない缶蓋と変わらないので、生産効率を落とすことがない。
なお、本実施の形態では、エンボス加工部７をタブおよび開口予定部の左右のパネル領域のほぼ全面にわたって形成しているので、この広いエンボス加工部７を印刷面として種々の装飾，情報を表示することができる。
もっとも、エンボス加工部７は指掛かり部５１が収まる広さがあればよく、メタル余り吸収部とは別々に形成してもよい。また、左右のパネル領域のうち一方のパネル領域のみに設けるようにしてもよい。
また、上記実施の形態では、部分開口用の缶蓋について説明したが、全面開口用の缶蓋についても適用可能であるし、開口時にタブが缶蓋に残存するステイオン方式の缶蓋に限らず、タブを除去するような方式の缶蓋についても適用可能である。
【図面の簡単な説明】
【００２０】
【図１】図１は本発明の実施の形態に係る易開封性缶蓋を示すもので、同図（Ａ）は平面図、同図（Ｂ）は指掛かり部と重ねられた上位の缶蓋のエンボス加工部の凹部との関係を示す断面図である。
【図２】図２は従来の易開封性缶蓋を示すもので、同図（Ａ）は平面図、同図（Ｂ）は指掛かり部と重ねられた上位の缶蓋との関係を示す断面図である。
【符号の説明】
【００２１】
１  易開封性缶蓋
２  開口予定部
３  スコア
４  缶蓋本体
４１  パネル部、４２  環状溝、
４３  チャックウォール部、４４  巻き締めカール部、４５  リベット部
５  タブ
５１  指掛かり部、５２  タブ本体部、５３  固定部
５４  タブ先端部、５５  摘み部、５６  指掛け孔、５７  側板部
６  段凹部
７  エンボス加工部
７１  エンボス凹部、７２  エンボス凸部
７３  大円弧部、７４  第１小円弧部、７５  第２小円弧部
Ｎ  中心線
Ｒ    回転軌道投影領域
Ｒ１  外径線
Ｒ１  内径線
Ｍ  直交線
【図１】
2006213357.tif 000003
【図２】
2006213357.tif 000004